(57)【特許請求の範囲】
【請求項１】
ディスクを挿排するためのデッキ本体側ディスク挿排口と、前記デッキ本体側ディスク挿排口を開閉するデッキ本体側シャッターと、前記デッキ本体側シャッターに係合することにより前記デッキ本体側シャッターの上下動に従動して軸を中心に回動するリンクと、前記リンクの軸の上部に連設されて前記リンクを連結することにより前記デッキ側シャッターの上下動に連動して前記軸を中心に回動するプレートとを備えたデッキ本体装置と、
前記デッキ本体に取付可能なカバー部材と、
前記カバー部材がディスクを挿排するためのカバー部材側ディスク挿排口を開閉するシャッターを有し、前記プレートの一端側に立設されることにより前記デッキ本体側シャッターの上下動に連動して前記カバー部材に近接離隔する方向に振幅するポールと、前記ポールの先端に一端部を係合させて中間部の軸を中心に回動可能に取り付けられた中継レバーと、前記中継レバーの他端部に弾性部材を介して後端部を連結されて前記中継レバーの回動により前記カバー部材に先端部を近接離隔する方向にスライドさせて前記カバー部材側シャッターの突起を押圧するシャッターレバーと、前記中継レバーを前記中継レバーの軸により回動可能に支持するとともに前記シャッターレバーをスライド可能に支持して前記デッキ本体に着脱可能に固定される固定シャーシとを備えた伝達手段とを有し、
前記伝達手段を用いて前記デッキ本体側シャッターの駆動力を伝達して前記カバー部材側シャッターを開閉動作させるディスク装置。
【請求項２】
前記デッキ本体装置のシャッターの開閉動作を検知する手段を前記デッキ本体装置のみに配設したことを特徴とする請求項１記載のディスク装置。
【請求項３】
前面にカバー部材を取付可能なデッキ本体装置であって、
前記デッキ本体装置は、ディスクを挿排するためのディスク挿排口と、前記ディスク挿排口を開閉するシャッターと、前記シャッターに係合することにより前記シャッターの上下動に従動して軸を中心に回動するリンクと、前記リンクの軸の上部に連設されて前記リンクを連結することにより前記シャッターの上下動に連動して前記軸を中心に回動するプレートとを備え、
前記カバー部材が前記カバー部材のディスク挿排口を開閉するシャッターを有する場合、前記プレートの一端側に立設されることにより前記シャッターの上下動に連動して前記カバー部材に近接離隔する方向に振幅するポールの先端に一端部を係合させて中間部の軸を中心に回動可能に取り付けられた中継レバーと、前記中継レバーの他端部に弾性部材を介して後端部を連結されて前記中継レバーの回動により前記カバー部材に先端部を近接離隔する方向にスライドさせて前記カバー部材のシャッターの突起を押圧するシャッターレバーと、前記中継レバーを前記中継レバーの軸により回動可能に支持するとともに前記シャッターレバーをスライド可能に支持して前記デッキ本体に着脱可能に固定される固定シャーシとを備えた伝達手段を用いて前記デッキ本体装置のシャッターの駆動力を伝達し、前記エスカッションのシャッターを開閉動作させるデッキ本体装置。
【請求項４】
前記デッキ本体装置のシャッターの開閉動作を検知する手段を前記デッキ本体装置のみに配設したことを特徴とする請求項３に記載のデッキ本体装置。
【発明の詳細な説明】
【０００１】
【発明の属する技術分野】
本発明は、ディスク挿排装置に関し、詳しくは、ディスク装置に搭載されて、簡易なシャッター機構によりディスク挿排口を開閉することができるものに関する。
【０００２】
【従来の技術】
従来より、ディスクを挿排口より挿入して、そのディスクの記録・再生を行うディスク装置が知られており、複数枚のディスクから記録再生するディスクを選択することのできるディスクチェンジャ装置も出現している。
【０００３】
この種のディスクチェンジャ装置としては、例えば、図９および図１０に示すようなものがある。このディスクチェンジャ装置は、ディスク挿排装置１００を箱型デッキ本体（装置本体）１０１の前面側に搭載するのが一般的であり、デッキ本体１０１の前面シャーシ１０１ａにディスク挿入口１０１ｂを形成されて、そのディスク挿入口１０１ｂの近傍に配置されたゴムローラ１０２が、不図示のモータにより駆動されて、ディスク挿入口１０１ｂから挿入されたディスク１７をディスクガイド１１８との間に挟持しデッキ本体１０１内のトレイ１１９に載置するようになっている。
【０００４】
このディスク挿排装置１００は、デッキ本体１０１のディスク挿入口１０１ｂのシャッター構成として、デッキ本体１０１内のディスク挿入口１０１ｂ近傍に配置されたシャッター１０４が不図示の駆動手段により上下動することにより、複数枚のディスク１１７の挿入を許可したり、ディスク１１７の挿脱動作以外でのディスク１１７の挿入を防ぐ役割をしている。
【０００５】
また、ディスク挿排装置１００は、デッキ本体１０１の前面にエスカッション（カバー部材）１０８が取り付けられるが、このエスカッション１０８側のシャッター構成は、組み込むデッキ本体１０１に合わせて仕様を開発するのが主流である。
【０００６】
【発明が解決しようとする課題】
しかしながら、このような従来のディスク挿排装置にあっては、その設置個所の多様化から小型化することが要求されているが、エスカッション１０８側にもシャッター構成を取り付ける場合には、デッキ本体１０１のシャッター構成とは別系統の駆動により開閉動作を行わせるため、別途設計することが必要であると共に、大型化してしまって、コスト高にもなってしまうという問題があった。
【０００７】
本発明は、このような問題を解決するためになされたもので、装置本体側およびカバー部材側の両方に取り付けるシャッター構成を、一つの駆動源により動作させることができ、小型かつ低コストに多様な仕様にも対応可能なディスク挿排装置を提供するものである。
【０００８】
【課題を解決するための手段】
本発明のディスク装置は、ディスクを挿排するためのデッキ本体側ディスク挿排口と、前記デッキ本体側ディスク挿排口を開閉するデッキ本体側シャッターと、前記デッキ本体側シャッターに係合することにより前記デッキ本体側シャッターの上下動に従動して軸を中心に回動するリンクと、前記リンクの軸の上部に連設されて前記リンクを連結することにより前記デッキ側シャッターの上下動に連動して前記軸を中心に回動するプレートとを備えたデッキ本体装置と、前記デッキ本体に取付可能なカバー部材と、前記カバー部材がディスクを挿排するためのカバー部材側ディスク挿排口を開閉するシャッターを有し、前記プレートの一端側に立設されることにより前記デッキ本体側シャッターの上下動に連動して前記カバー部材に近接離隔する方向に振幅するポールと、前記ポールの先端に一端部を係合させて中間部の軸を中心に回動可能に取り付けられた中継レバーと、前記中継レバーの他端部に弾性部材を介して後端部を連結されて前記中継レバーの回動により前記カバー部材に先端部を近接離隔する方向にスライドさせて前記カバー部材側シャッターの突起を押圧するシャッターレバーと、前記中継レバーを前記中継レバーの軸により回動可能に支持するとともに前記シャッターレバーをスライド可能に支持して前記デッキ本体に着脱可能に固定される固定シャーシとを備えた伝達手段とを有し、前記伝達手段を用いて前記デッキ本体側シャッターの駆動力を伝達して前記カバー部材側シャッターを開閉動作させる構成を有している。また、本発明のデッキ本体装置は、前面にカバー部材を有するデッキ本体装置であって、前記デッキ本体装置は、ディスクを挿排するためのディスク挿排口と、前記ディスク挿排口を開閉するシャッターと、前記シャッターに係合することにより前記シャッターの上下動に従動して軸を中心に回動するリンクと、前記リンクの軸の上部に連設されて前記リンクを連結することにより前記シャッターの上下動に連動して前記軸を中心に回動するプレートと、前記プレートの一端側に立設されることにより前記シャッターの上下動に連動して前記カバー部材に近接離隔する方向に振幅するポールとを備え、前記カバー部材が前記カバー部材のディスク挿排口を開閉するシャッターを有する場合、前記ポールの先端に一端部を係合させて中間部の軸を中心に回動可能に取り付けられた中継レバーと、前記中継レバーの他端部に弾性部材を介して後端部を連結されて前記中継レバーの回動により前記カバー部材に先端部を近接離隔する方向にスライドさせて前記カバー部材のシャッターの突起を押圧するシャッターレバーと、前記中継レバーを前記中継レバーの軸により回動可能に支持するとともに前記シャッターレバーをスライド可能に支持して前記デッキ本体に着脱可能に固定される固定シャーシとを備えた伝達手段を用いて前記デッキ本体装置のシャッターの駆動力を伝達し、前記エスカッションのシャッターを開閉動作させる構成を有している。
【０００９】
このような構成により、装置本体側に加えて、カバー部材側にもシャッター構成を備える場合にも、装置本体側のシャッターを駆動させる駆動力を伝達して、双方のシャッターを連動させて開閉させることができる。したがって、カバー部材側のシャッター専用の駆動源を準備する必要がなく、カバー部材側のシャッター構成の有無に応じて設計をする必要をなくすことができるとともに、小型化かつ低コスト化を図ることができる。
【００１２】
本発明のディスク装置およびデッキ本体装置は、前記デッキ本体装置のシャッターの開閉動作を検知する手段を前記デッキ本体装置のみに配設した構成を有することにより、カバー部材側のシャッター構成の有無に拘わらずに、そのカバー部材側に開閉センサーなどを配設することなく、シャッターの開閉を検知することができ、より低コスト化を図ることができる。
【００１３】
【発明の実施の形態】
以下、本発明を図面に基づいて説明する。図１〜図８は本発明のディスク挿排装置の実施の形態を適用したディスクチェンジャ装置の一例を示す図である。図１はそのシャッター開口時を示すディスクチェンジャ装置の前側斜視図、図２、図３は、その要部構成を示すディスクチェンジャ装置の分解右側面図、図４はそのカバー部材の分解時を示すディスクチェンジャ装置の後方斜視図、図５、図６はそのディスクチェンジャ装置の装置本体側シャッターの駆動機構の背面図（図２、図３におけるｄ矢視図）、図７、図８はそのディスクチェンジャ装置のカバー部材側シャッターの駆動機構の前側斜視図である。
【００１４】
まず、構成を説明する。図１〜図４において、ディスク挿排装置は、ディスクチェンジャ装置のデッキ本体（装置本体）１の前面側に配設されており、ゴムローラー２が正逆回転することにより、ディスクチェンジャ装置の使用するディスクを、デッキ本体１のデッキ前面シャーシ１ａに形成されたディスク挿排口１ｂおよびデッキ本体１の前面に取り付けられるエスカッション（カバー部材）８に形成されたディスク挿排口８ｂを介してデッキ本体１の内外に挿排するようになっている。
【００１５】
ディスク挿排装置は、デッキ本体１のデッキ前面シャーシ１ａの平面方向に上下動してディスク挿排口１ｂを開閉するシャッター４と、エスカッション８の内面に立設された一対のリブ８ａに両端側上部を回動可能に軸支されてディスク挿排口８ｂを開閉するシャッター９と、シャッター４を動作させる駆動機構Ａと、シャッター９を動作させる駆動機構Ｂと、デッキ本体１側のシャッター４の動作に従動してエスカッション８側のシャッター９を連動動作させるように駆動機構Ａの駆動力を駆動機構Ｂに伝達する伝達機構（伝達手段）Ｃとを備えている。
【００１６】
駆動機構Ａは、図５および図６に示すように、デッキ本体１側の動作により回転部材３ａが押し上げられたときに軸３ｂを中心に上方に向かって回動するシャッターレバー３を備えており、シャッターレバー３がデッキ本体１側の押圧力（駆動力）でシャッター４とデッキ前面シャーシ１ａとの間に連結された弾性部材（スプリング）１５の弾性力に抗してそのシャッター４を押圧する方向（弾性部材１５の伸長方向）に回動することによりその先端部３ｃでシャッター４を上方に移動させてディスク挿排口１ｂを閉止する一方、デッキ本体１側の押圧力が解除されたときにはシャッター４が弾性部材１５の弾性力により引き戻されてシャッターレバー３の先端部３ｃが下方に回動することによりディスク挿排口１ｂを開口するようになっている。
【００１７】
この駆動機構Ａは、ディスク挿排口１ｂを開口する位置のシャッター４に接触する突起１６ａを備えたスイッチ１６を配設されており、このスイッチ１６の突起１６ａの接触（傾斜）の有無に応じた検出信号によりシャッター４の開閉を検知することができるようになっている。
【００１８】
駆動機構Ｂは、エスカッション８に向かう押圧力を加えられたときにシャッター９を回動させるように、そのシャッター９の一端側上部に突起９ａが形成されており、シャッター９の突起９ａが後述するデッキ本体１側のシャッターレバー１０による押圧力（駆動力）を加えられたときに、エスカッション８とシャッター９の下端側との間に連結された弾性部材（スプリング）１４の弾性力に抗してそのシャッター９の下端側がエスカッション８から離隔する方向（弾性部材１４の伸長方向）に回動することによりディスク挿排口８ｂを開口する一方、デッキ本体１側からの押圧力が解除されたときにはシャッター９が重力と共に弾性部材１４の弾性力により引き戻されてエスカッション８に接近する下方に回動することによりディスク挿排口８ｂを閉止するようになっている。
【００１９】
伝達機構Ｃは、エスカッション８から離隔する側のシャッター４の両側に係合することによりそのシャッター４の上下動に従動して軸５ａを中心に回動する一対のリンク５と、このリンク５の軸５ａ上部に連設されて一対のリンク５を連結することによりシャッター４の上下動に従動・連動して軸５ａを中心に回動するプレート６と、このプレート６の一端側に立設されることによりシャッター４の上下動に従動・連動してエスカッション８に近接・離隔する方向（ディスクの挿排方向）に振幅するポール７とをデッキ本体１内に備えており、また、図７および図８に示すように、そのポール７の先端に一端部を係合させて中間部の軸１１ａを中心に回動可能に取り付けられた中継レバー１１と、この中継レバー１１の他端部に弾性部材１３を介して後端部を連結されてその中継レバー１１の回動によりエスカッション８に先端部を近接・離隔する方向にスライドさせてシャッター９の突起９ａを押圧するシャッターレバー１０と、これら中継レバー１１を軸１１ａにより回動可能に支持するとともにシャッターレバー１０をスライド可能に支持して、デッキ前面シャーシ１ａの上部に着脱可能に固定される固定シャーシ１２とを備えている。
【００２０】
このため、伝達機構Ｃは、駆動機構Ａのシャッター４の上下動（駆動力）をリンク５、プレート６およびポール７によりエスカッション８に近接・離隔するディスクの挿排方向に変換して伝達するとともに、中継レバー１１によりシャッターレバー１０をエスカッション８に向かって前後させてシャッター９の突起９ａを押圧することができるようになっている。すなわち、リンク５、プレート６およびポール７が変換部材を構成し、シャッターレバー１０が前後部材を構成している。
【００２１】
次に、本発明のディスク挿排装置のシャッター４、９によるデッキ本体１のディスク挿排口１ｂとエスカッション８のディスク挿排口８ｂの開閉動作を説明する。
【００２２】
まず、駆動機構Ａにおいて、デッキ本体１側がシャッターレバー３の回転部材３ａを押し上げる状態のときには、シャッターレバー３は、弾性部材１５の弾性力に抗して先端部３ｃを回動させてシャッター４に当接させることにより、そのシャッター４を上方に押し上げてディスク挿排口１ｂを閉止する。
【００２３】
このとき、伝達機構Ｃでは、同時に、シャッター４の動作に従動して両側の一対のリンク５が上方に回動することによりプレート６も回動してポール７をエスカッション８に近接する方向に振って、このポール７の先端に一端側を係合させた中継レバー１１の他端側をエスカッション８から離隔する方向に位置させることにより、この中継レバー１１の他端側に連結されたシャッターレバー１０をシャッター９の突起９ａから離隔させた状態にする。
【００２４】
このことから、駆動機構Ｂでは、シャッター９の突起９ａにシャッターレバー１０を介してデッキ本体１側からの押圧力を加えられることなく、そのシャッター９は、自重と弾性部材１４の弾性力により、シャッター４の動作に連動してエスカッション８に接近する方向に回動しディスク挿排口８ｂを閉止する。
【００２５】
その一方、駆動機構Ａにおいて、デッキ本体１側がシャッターレバー３の回転部材３ａから離隔する状態に移行したときには、シャッターレバー３は、シャッター４を先端部３ｃで押圧する力が解除されることになり、シャッター４自体は、弾性部材１５の弾性力により引き戻されて降下することによりディスク挿排口１ｂを開口する。
【００２６】
このとき、伝達機構Ｃでは、同時に、シャッター４の動作に従動して両側の一対のリンク５が下方に回動することによりプレート６も回動してポール７をエスカッション８から離隔する方向に振って、このポール７の先端に一端側を係合させた中継レバー１１の他端側をエスカッション８に近接する方向に位置させることにより、この中継レバー１１の他端側に連結されたシャッターレバー１０をシャッター９の突起９ａに近接させ押圧する状態にする。
【００２７】
このことから、駆動機構Ｂでは、シャッター９の突起９ａにシャッターレバー１０を介してデッキ本体１側のシャッター４の動作に従動するように押圧力を加えられて、そのシャッター９は弾性部材１４の弾性力に抗して下端側をエスカッション８から離隔する方向に回動させてディスク挿排口８ｂを開口する。
【００２８】
そして、このように構成されることにより、駆動機構Ｂは、弾性部材１４が単独でシャッター９の下端側をエスカッション８に近接する方向に引いてディスク挿排口８ｂを閉止しているので、この状態のときに、ディスク挿排口８ｂからシャッター９に外力を加えられても、弾性部材１４が伸長することによりシャッター９の下端側がエスカッション８から離隔する方向に回動することを許容することができ、損傷してしまうことなく、その外力を逃がすことができる。
【００２９】
また、同様に、伝達機構Ｃは、弾性部材１３が中継レバー１１の他端部とシャッターレバー１０の後端部とを連結して、中継レバー１１の回動によりシャッターレバー１０をエスカッション８に近接・離隔させる前後方向にスライドさせているので、シャッターレバー１０の先端部がエスカッション８に近接してシャッター９の突起９ａを押圧する状態のときに、そのシャッターレバー１０をエスカッション８から離隔させる方向に外力が加えられても、弾性部材１３が伸長することによりシャッターレバー１０の先端部がエスカッション８から離隔する方向にスライドすることを許容することができ、損傷してしまうことなく、その外力を逃がすことができる。
【００３０】
また、伝達機構Ｃは、ポール７とシャッターレバー１０との間に中継レバー１１を介装しているので、ポール７の振幅を増大させてシャッターレバー１０を大きくスライドさせることができるとともに、ポール７とシャッターレバー１０のエスカッション８に近接離隔するタイミングを逆にすることにより、シャッター４、９の開閉動作に伴って弾性部材１４、１５を伸長させるタイミングを逆にして、ディスク挿排口１ｂ、８ｂの開閉動作に必要な負荷を抑えている。
【００３１】
ここで、この実施の形態では、エスカッション８のディスク挿排口８ｂを開閉するシャッター９を有する場合を説明するが、ディスク挿排口のみを有するエスカッションである場合には、固定シャーシ１２ごと、シャッターレバー１０、中継レバー１１および弾性部材１３などをデッキ前面シャーシ１ａの上部から取り外すだけでデッキ本体１側のシャッター４のみを開閉するシャッター構成にすることができる。
【００３２】
また、ディスク挿排口１ｂ、８ｂの開閉は、一つのスイッチ１６により検知することができ、シャッター９の有無に拘わらずに、エスカッション８のディスク挿排口８ｂを開閉するシャッター９を有する場合に配置していたスイッチを廃止することができる。
【００３３】
このように、この実施の形態においては、エスカッション８側に単独の駆動源を有するシャッター構成を設けることなく、デッキ本体１側の上下方向に動作するシャッター４の駆動力を、デッキ本体１の前面側の狭いスペースに着脱可能に構築した伝達機構Ｃにより伝達してエスカッション８側のシャッター９を開閉動作させることができ、デッキ本体１側のシャッター４の動作に従動・連動させてエスカッション８側のシャッター９を動作させることができる。このため、シャッター９の開閉はシャッター４の開閉を検知する一つのスイッチ１６により併せて検知することができる。したがって、エスカッション８のシャッター構成の有無に応じて設計をする必要をなくすことができるとともに、小型化かつ低コスト化を図ることができる。
【００３４】
【発明の効果】
以上説明したように、本発明によれば、装置本体側に加えて、カバー部材側にシャッター構成を備える場合にも、装置本体側のシャッターを駆動させる駆動力を伝達して、双方のシャッターを連動させて開閉することができるので、カバー部材側のシャッター専用の駆動源を準備する必要がなく、カバー部材側のシャッター構成の有無に応じて設計をする必要もなくすことができる。
【００３５】
したがって、装置本体側のみに取り付けるシャッター構成を、また、装置本体側およびカバー部材側の両方に取り付けるシャッター構成を、一つの駆動源により動作させることができ、小型かつ低コストに、多様な仕様にも対応することができる、という優れた効果を有するディスク挿排装置を提供することができる。
【図面の簡単な説明】
【図１】本発明のディスク挿排装置の実施の形態の外観を示す分解斜視図
【図２】本発明のディスク挿排装置の実施の形態の要部構成を示す分解右側面図
【図３】本発明のディスク挿排装置の実施の形態の要部構成を示す分解右側面図
【図４】本発明のディスク挿排装置の実施の形態の要部構成を示す分解斜視図
【図５】本発明のディスク挿排装置の実施の形態の要部構成を示す図３におけるｄ矢視図
【図６】本発明のディスク挿排装置の実施の形態の要部構成を示す図２におけるｄ矢視図
【図７】本発明のディスク挿排装置の実施の形態の要部構成を示す斜視図
【図８】本発明のディスク挿排装置の実施の形態の要部構成を示す斜視図
【図９】従来技術を示す断面側面図
【図１０】従来技術を示す断面側面図
【符号の説明】
１ デッキ本体
１ｂ、８ｂ ディスク挿排口
２ ゴムローラー
３、１０ シャッターレバー
４、９ シャッター
５ リンク
６ プレート
７ ポール
８ エスカッション
１１ 中継レバー
１２ 固定シャーシ
１３〜１５ 弾性部材
１６ スイッチ
１６ａ 突起
【図１】
0004112205.tif 000002
【図２】
0004112205.tif 000003
【図３】
0004112205.tif 000004
【図４】
0004112205.tif 000005
【図５】
0004112205.tif 000006
【図６】
0004112205.tif 000007
【図７】
0004112205.tif 000008
【図８】
0004112205.tif 000009
【図９】
0004112205.tif 000010
【図１０】
0004112205.tif 000011